(57)【特許請求の範囲】
【請求項１】
着用者の前後方向に相当する縦方向とこれに直交する横方向とを有し、吸収性本体と、該吸収性本体の非肌対向面側に配されて該吸収性本体を固定している外装体とを備え、前身頃及び後身頃それぞれにおける該外装体の縦方向に沿う両側縁部どうしが接合されて一対のサイドシール部、ウエスト開口部及び一対のレッグ開口部が形成されているパンツ型吸収性物品であって、
前記外装体は、一対の前記レッグ開口部それぞれの開口縁部にレッグギャザーを形成するレッグ弾性部材として、前身頃に伸長状態で配された前側レッグ弾性部材と、後身頃に伸長状態で配された後側レッグ弾性部材とを備え、
前記前側レッグ弾性部材は、前身頃における前記サイドシール部を構成する前記外装体の両側縁部それぞれから前記レッグ開口部の開口縁部に沿って縦方向内方且つ横方向内方に延びて前記吸収性本体の縦方向に沿う側縁に達しており、
前記後側レッグ弾性部材は、後身頃における前記サイドシール部を構成する前記外装体の両側縁部それぞれから前記レッグ開口部の開口縁部に沿って縦方向内方且つ横方向内方に延びて前記吸収性本体の縦方向に沿う側縁に達しており、
前記前側レッグ弾性部材と前記後側レッグ弾性部材とが縦方向において互いに離間配置されて、離間領域が形成されており、
前記離間領域における前記吸収性本体の縦方向に沿う左右両側部に、着用時に着用者の肌側に向かって起立する一対の立体ギャザーが設けられており、該立体ギャザーは、該吸収性本体側を基端とし着用者の肌側に自由端をなすように起立し、該自由端に立体ギャザー形成用弾性部材が縦方向に伸長状態で配されており、
前記前側レッグ弾性部材及び前記後側レッグ弾性部材の配置領域における、縦方向において前記サイドシール部と同位置にある腰部対応部の最大伸度をＥ１、該腰部対応部よりも縦方向内方に位置する腰部下部対応部の最大伸度をＥ２とし、さらに前記離間領域における前記立体ギャザーの最大伸度をＥ３とした場合、Ｅ１＜Ｅ３＜Ｅ２なる関係が成立しているパンツ型吸収性物品。
【請求項２】
前記外装体は、着用者の身体から遠い側に位置する外層シートと、着用者の身体に近い側に位置する内層シートとを含んで構成されており、両シート間に前記レッグ弾性部材が介在配置されており、
前記腰部対応部において、前記レッグ弾性部材は、前記外層シート及び前記内層シートの両方に接着剤によって固定されている請求項１に記載のパンツ型吸収性物品。
【請求項３】
前記接着剤はホットメルト型接着剤であり、前記外層シート及び前記内層シートの少なくとも一方の、前記腰部対応部における前記レッグ弾性部材との対向面の全域に塗布されている請求項２に記載のパンツ型吸収性物品。
【請求項４】
前記腰部下部対応部において、前記レッグ弾性部材は、前記内層シート及び前記外層シートの何れか一方にのみ接着剤によって固定されている請求項２又は３に記載のパンツ型吸収性物品。
【請求項５】
前記腰部対応部を構成する前記外層シートは、２枚の繊維シートと、両シート間に介在配置された弾性部材とを含んで構成されている請求項２〜４の何れか一項に記載のパンツ型吸収性物品。
【請求項６】
前記レッグ弾性部材は、前記立体ギャザー形成用弾性部材に比して断面積が大きい請求項１〜５の何れか一項に記載のパンツ型吸収性物品。
【請求項７】
前身頃の前記腰部下部対応部の縦方向の長さと後身頃の前記腰部下部対応部の縦方向の長さとの合計が、前記離間領域の縦方向の長さに比して長い請求項１〜６の何れか一項に記載のパンツ型吸収性物品。
【発明の詳細な説明】
【技術分野】
【０００１】
本発明は、パンツ型使い捨ておむつ等のパンツ型吸収性物品に関する。
【背景技術】
【０００２】
従来、パンツ型使い捨ておむつとしては、外装体と、該外装体の肌対向面側の中央部に配された吸収性本体とを備え、着用者の前後方向に相当する縦方向とこれに直交する横方向とを有し、且つ縦方向において着用時に着用者の腹側に位置する前身頃と背側に位置する後身頃とに二分され、該前身頃及び該後身頃それぞれにおける該外装体の縦方向に沿う両側縁部どうしが接合されて一対のサイドシール部、ウエスト開口部及び一対のレッグ開口部が形成されているものが汎用されている。斯かる構成のパンツ型使い捨ておむつに関し、例えば特許文献１には、外装体として、２つの不織布層の間に弾性フィルムが介在配置された弾性積層体を用いたものが記載されている。
【０００３】
また特許文献２及び３には、レッグ開口部の開口縁部にレッグ弾性部材が配されたパンツ型使い捨ておむつが記載されている。特許文献２及び３記載のレッグ弾性部材は、何れも弾性的に伸長・収縮する不織布やプラスチックフィルム等の弾性シートからなるもので、前身頃及び後身頃それぞれのサイドシール部を構成する外装体の両側縁部からレッグ開口部の開口縁部に沿って縦方向内方且つ横方向内方に延び、外装体の中央部に配されている吸収性本体の縦方向に沿う側縁に達している。
【先行技術文献】
【特許文献】
【０００４】
【特許文献１】特表２００８−５３１１８１号公報
【特許文献２】特開２０１１−１５６３４１号公報
【特許文献３】特開２０１１−２５５１２０号公報
【発明の概要】
【発明が解決しようとする課題】
【０００５】
特許文献２及び３に記載の如き、レッグ弾性部材がサイドシール部から延びている構成の従来のパンツ型使い捨ておむつは、着用中に該レッグ弾性部材の収縮によって、他の部材よりも硬い該サイドシール部が着用者の大腿部の外側面に強く当たって食い込むため、着用者に違和感を与えやすいという問題があった。また、この問題を解決するために、レッグ弾性部材の伸縮性を低下させると、フィット性が低下するおそれがある。
【０００６】
従って本発明は、フィット性及び着用感に優れたパンツ型吸収性物品に関する。
【課題を解決するための手段】
【０００７】
本発明は、着用者の前後方向に相当する縦方向とこれに直交する横方向とを有し、吸収性本体と、該吸収性本体の非肌対向面側に配されて該吸収性本体を固定している外装体とを備え、前身頃及び後身頃それぞれにおける該外装体の縦方向に沿う両側縁部どうしが接合されて一対のサイドシール部、ウエスト開口部及び一対のレッグ開口部が形成されているパンツ型吸収性物品であって、
前記外装体は、一対の前記レッグ開口部それぞれの開口縁部にレッグギャザーを形成するレッグ弾性部材として、前身頃に伸長状態で配された前側レッグ弾性部材と、後身頃に伸長状態で配された後側レッグ弾性部材とを備え、
前記前側レッグ弾性部材は、前身頃における前記サイドシール部を構成する前記外装体の両側縁部それぞれから前記レッグ開口部の開口縁部に沿って縦方向内方且つ横方向内方に延びて前記吸収性本体の縦方向に沿う側縁に達しており、
前記後側レッグ弾性部材は、後身頃における前記サイドシール部を構成する前記外装体の両側縁部それぞれから前記レッグ開口部の開口縁部に沿って縦方向内方且つ横方向内方に延びて前記吸収性本体の縦方向に沿う側縁に達しており、
前記前側レッグ弾性部材と前記後側レッグ弾性部材とが縦方向において互いに離間配置されて、離間領域が形成されており、
前記離間領域における前記吸収性本体の縦方向に沿う左右両側部に、着用時に着用者の肌側に向かって起立する一対の立体ギャザーが設けられており、該立体ギャザーは、該吸収性本体側を基端とし着用者の肌側に自由端をなすように起立し、該自由端に立体ギャザー形成用弾性部材が縦方向に伸長状態で配されており、
前記前側レッグ弾性部材及び前記後側レッグ弾性部材の配置領域における、縦方向において前記サイドシール部と同位置にある腰部対応部の最大伸度をＥ１、該腰部対応部よりも縦方向内方に位置する腰部下部対応部の最大伸度をＥ２とし、さらに前記離間領域における前記立体ギャザーの最大伸度をＥ３とした場合、Ｅ１＜Ｅ３＜Ｅ２なる関係が成立しているパンツ型吸収性物品を提供するものである。
【発明の効果】
【０００８】
本発明によれば、フィット性及び着用感に優れたパンツ型吸収性物品が提供される。
【図面の簡単な説明】
【０００９】
【図１】図１は、本発明のパンツ型吸収性物品の一実施形態であるパンツ型使い捨ておむつを模式的に示す斜視図である。
【図２】図２は、図１に示すおむつの展開且つ伸長状態における非肌対向面側（外面側）を模式的に示す展開平面図である。
【図３】図３は、図２のＩ−Ｉ線断面を模式的に示す縦断面図である。
【図４】図４は、図２のＩＩ−ＩＩ線断面を模式的に示す横断面図である。
【図５】図５は、図１に示すおむつの外装体を構成する外層シートの一部（腹側外層シート）の一例を模式的に示す一部破断斜視図である。
【発明を実施するための形態】
【００１０】
以下本発明を、その好ましい実施形態に基づき図面を参照しながら説明する。図１〜図４には、本発明のパンツ型吸収性物品の一実施形態であるパンツ型使い捨ておむつ１が記載されている。おむつ１は、着用者の前後方向に相当する縦方向Ｘとこれに直交する横方向Ｙとを有し、吸収性本体２と、該吸収性本体２の非肌対向面側に配されて該吸収性本体２を固定している外装体３とを備え、前身頃Ｆ及び後身頃Ｒそれぞれにおける該外装体３の縦方向Ｘに沿う両側縁部ＦＳ，ＲＳどうしが接合されて、一対のサイドシール部Ｓ，Ｓ、並びに着用者の胴が通されるウエスト開口部ＷＨ、及び着用者の下肢が通される一対のレッグ開口部ＬＨ，ＬＨが形成されている。
【００１１】
図２に示すように、前身頃Ｆは、おむつ１を縦方向Ｘに二分する縦中心線Ｌｘを基準として、着用時に着用者の身体の前側（腹側）を覆う部分であり、後身頃Ｒは、着用者の身体の後側（背側）を覆う部分である。また本明細書において、肌対向面は、おむつ１及びその構成部材（例えば吸収性本体２）における、着用状態において着用者の肌側に向けられる面（着用者の肌に近い側）であり、非肌対向面は、おむつ１及びその構成部材における、着用状態において着用者の肌側とは反対側に向けられる面（相対的に肌対向面よりも肌から遠い側）である。
【００１２】
おむつ１は、着用状態において着用者の腹側に配される腹側部１Ａ、背側に配される背側部１Ｃ、及びそれらの間に位置して着用者股間部に配される股下部１Ｂを有している。おむつ１の縦方向Ｘは、前身頃Ｆと後身頃Ｒとの間を延びる方向、即ち、腹側部１Ａと背側部１Ｃとの間を股下部１Ｂを介して延びる方向であり、吸収性本体２の長手方向に一致する。腹側部１Ａは前身頃Ｆの一部であり、背側部１Ｃは後身頃Ｒの一部であり、股下部１Ｂは前身頃Ｆと後身頃Ｒとに跨って存している。腹側部１Ａ及び背側部１Ｃは、何れも縦方向Ｘにおいてサイドシール部Ｓと同位置にある部分であり、おむつ１の着用時に着用者の腰周りに配される腰部対応部である。股下部１Ｂは、外装体３の縦方向Ｘに沿う両側縁部にレッグ開口部ＬＨ，ＬＨ形成用の凹欠部（レッグ縁部ＬＳ，ＬＳ）が形成されている領域である。股下部１Ｂは、おむつ１の着用時に着用者の排泄部に対向配置される排泄部対向部を有しており、該排泄部対向部は通常、おむつ１の縦方向Ｘの中央部（縦中心線Ｌｘ上）又はその近傍に位置している。
【００１３】
吸収性本体２は、図２に輪郭線で示したように平面視矩形形状を有しており、その長手方向を展開且つ伸長状態におけるおむつ１の縦方向Ｘに一致させて、外装体３の横方向Ｙの中央部に配置され、接着剤により外装体３に接合されている。外装体３は、図２に示す如きおむつ１の展開且つ伸長状態のおむつ１の外形を形作っており、外装体３の周縁は、その状態のおむつ１の輪郭線を形成している。おむつ１の「展開且つ伸長状態」とは、おむつ１をサイドシール部Ｓで切り離して展開状態とし、その展開状態のおむつ１を各部の弾性部材を伸長させて設計寸法（弾性部材の影響を一切排除した状態で平面状に広げたときの寸法と同じ）となるまで拡げた状態をいう。
【００１４】
吸収性本体２は、図３及び図４に示すように、肌対向面を形成する液透過性の表面シート２１、非肌対向面を形成する液不透過性若しくは液難透過性又は撥水性の裏面シート２２、及び両シート２１，２２間に介在配置された液保持性の吸収体２３を有しており、これらが接着剤等の公知の接合手段により一体化されて構成されている。表面シート２１及び裏面シート２２としては、それぞれ、この種の吸収性物品に従来用いられている各種のものを特に制限なく用いることができる。例えば、表面シート２１としては各種の不織布や開孔フィルム等を用いることができ、裏面シート２２としては樹脂フィルムや、樹脂フィルムと不織布等とのラミネート等を用いることができる。吸収体２３としては、例えば、吸水性ポリマーの粒子及びパルプ繊維等の繊維材料の少なくとも１種を含む吸収性コアを用いることができ、該吸収性コアは、その表面が紙、不織布等のコアラップシートで被覆されていても良い。
【００１５】
外装体３は、図２に示すように、その縦方向Ｘに沿う両側縁が股下部１Ｂにおいて内向きの円弧状に湾曲して一対のレッグ縁部ＬＳ，ＬＳを形成しており、図２に示す如き平面視において、縦方向Ｘの中央域が横方向Ｙの内方に向けて括れた砂時計状の形状を有している。外装体３は、前身頃Ｆ（腹側部１Ａ）における縦方向Ｘに沿う両側縁部ＦＳ，ＦＳと後身頃Ｒ（背側部１Ｃ）における縦方向Ｘに沿う両側縁部ＲＳ，ＲＳとが、接着剤、ヒートシール、超音波シール等の公知の接合手段によって互いに接合されており、その接合によって、図１に示すように、おむつ１に一対のサイドシール部Ｓ，Ｓが形成され、さらにウエスト開口部ＷＨ及び一対のレッグ開口部ＬＨ，ＬＨが形成されている。
【００１６】
外装体３は、図３及び図４に示すように、外層シート３１と内層シート３２との積層体を含んで構成されている。おむつ１の着用状態において、外層シート３１は着用者の身体から遠い側に位置して、おむつ１の非肌対向面（外面）を形成し、内層シート３２は、着用者の身体に近い側に位置して、おむつ１の肌対向面（内面）を形成する。外層シート３１と内層シート３２との間は、所定の部位において接着剤によって接合されている。
【００１７】
本実施形態においては、図３に示すように、内層シート３２は１枚の連続したシートから構成されているのに対し、外層シート３１は複数枚のシートが組み合わされて構成されており、腹側部１Ａを構成する腹側外層シート３１Ａと、背側部１Ｃを構成する背側外層シート３１Ｃと、両シート３１Ａ，３１Ｃ間に位置して股下部１Ｂを構成する股下外層シート３１Ｂとを含んで構成されている。外層シート３１を構成する各シート３１Ａ，３１Ｂ，３１Ｃは、それらの縦方向Ｘの端部どうしが重ね合わされ、その重ね合わせ部分において接着剤、ヒートシール、高周波シール、超音波シール等の公知の接合手段によって互いに接合され一体化されている。シート３１Ａ，３１Ｃとシート３１Ｂとの重ね合わせ部分においては、それぞれ、縦方向Ｘの中央に位置するシート３１Ｂが吸収性本体２から相対的に近い側に位置し、シート３１Ｂの縦方向Ｘの両端部の非肌対向面はシート３１Ａ，３１Ｃで被覆されている。
【００１８】
図２及び図３に示すように、腹側外層シート３１Ａは、内層シート３２の腹側部１Ａ側の縦方向Ｘの端部から外方に延出する腹側延出部３１ＡＥを有し、また、背側外層シート３１Ｃは、内層シート３２の背側部１Ｃ側の縦方向Ｘの端部から外方に延出する背側延出部３１ＣＥを有しており、両延出部３１ＡＥ，３１ＣＥは、それぞれ、内層シート３２上に配置固定された吸収性本体２の縦方向Ｘの両端部を覆うように、内層シート３２側に折り返され、接着剤によって、両延出部３１ＡＥ，３１ＣＥと対向するおむつ１の他の構成部材（内層シート３２、吸収性本体２、立体ギャザー５）に固定されている。
【００１９】
本実施形態においては、外層シート３１を構成する腹側外層シート３１Ａ及び背側外層シート３１Ｃは伸縮性を有しているのに対し、外層シート３１の残りの部分（股下外層シート３１Ｂ）及び内層シート３２は伸縮性を有しておらず非伸縮性である。
【００２０】
腹側外層シート３１Ａ及び背側外層シート３１Ｃは、少なくとも横方向Ｙに伸縮性を有している。図５には、伸縮性の腹側外層シート３１Ａの一例が示されている。図５に示す腹側外層シート３１Ａは、非弾性繊維を主体とする伸長可能な繊維層の一面に糸状の弾性フィラメントが接合した構成を有するもので、該繊維層としての２枚の繊維シート４１，４２と、両シート４１，４２間に介在配置された該弾性フィラメントとしての弾性部材４３とを含んで構成されている。斯かる構成を有する伸縮性の背側外層シート３１Ａは、例えば、特開２００９−６１７４３号公報に記載の方法に従って製造することができる。伸縮性の背側外層シート３１Ｃも図５に示す伸縮性の腹側外層シート３１Ａと同様に構成することができる。
【００２１】
腹側外層シート３１Ａを構成する２枚のシート４１，４２は、何れも伸長可能なものである。シート４１，４２は、弾性部材４３の延びる方向（横方向Ｙ）と同方向に伸長可能になっている。伸長可能とは、（イ）シート４１，４２の構成繊維自体が伸長する場合と、（ロ）構成繊維自体は伸長しなくても、交点において結合していた繊維どうしが離れたり、繊維どうしの結合等により複数本の繊維で形成された立体構造が構造的に変化したり、構成繊維がちぎれたりして、シート４１，４２全体として伸長する場合とを包含する。
【００２２】
腹側外層シート３１Ａを構成する弾性部材４３は、弾性樹脂が溶融又は軟化した状態で延伸されて形成された弾性フィラメントである。複数の弾性部材４３は、それぞれ、シート３１Ａの全長（外装体３の横方向Ｙの全長）に亘って実質的に連続している。複数の弾性部材４３は、互いに交差せずに一方向（横方向Ｘ）に延びるように配列している。弾性部材４３は、実質的に非伸長状態で２枚のシート４１，４２に接合されている。シート３１Ａにおける弾性部材４３のシート４１，４２との接合は、シート４１，４２を構成する繊維（非弾性繊維）が弾性部材４３中に埋没した状態で該弾性部材４３に融着することによりなされたものであり、ホットメルト型接着剤等の接着剤を用いてなされたものではない。従って、シート４１，４２（非弾性繊維を主体とする伸長可能な繊維層）とこれに接合されている弾性部材４３との間には接着剤が存在しない。
【００２３】
腹側外層シート３１Ａは、弾性部材４３の延びる方向（横方向Ｙ）と同方向に伸縮可能になっている。シート３１Ａの伸縮性は、弾性部材４３の弾性に起因して発現する。シート３１Ａを弾性部材４３の延びる方向と同方向に引き伸ばすと、弾性部材４３及びシート４１，４２が伸長する。そしてシート３１Ａの引き伸ばしを解除すると、弾性部材４３が収縮し、その収縮に連れてシート４１，４２が引き伸ばし前の状態に復帰する。また、シート３１Ａにおいては、弾性部材４３と直交した状態で結合している他の弾性部材は存在していないので、シート３１Ａを、弾性部材４３の延びる方向（横方向Ｙ）と同方向に引き伸ばしたときには、該シート３１Ａが横方向Ｙに縮む、いわゆる幅縮みをほとんど起こさずに伸長する。
【００２４】
腹側外層シート３１Ａを構成する２枚のシート４１，４２は、それぞれ、短繊維の不織布であり得る。不織布としては、エアスルー不織布、ヒートロール不織布、スパンレース不織布、スパンボンド不織布、メルトブローン不織布等が挙げられる。シート４１とシート４２とは、同種のものでも良く、あるいは異種のものでも良い。ここで言う、「同種のシート」とは、シートの製造プロセス、シートの構成繊維の種類、構成繊維の繊維径や長さ、シートの厚みや坪量等がすべて同じであるシートどうしを意味する。これらのうちの少なくとも一つが異なる場合には、「異種のシート」である。
【００２５】
腹側外層シート３１Ａを構成する弾性部材４３（弾性フィラメント）は、例えば熱可塑性エラストマーやゴム等を原料とするものである。特に熱可塑性エラストマーを原料として用いると、通常の熱可塑性樹脂と同様に押出機を用いた溶融紡糸が可能であり、またそのようにして得られた弾性フィラメントは熱融着させやすいので、シート３１Ａに好適である。熱可塑性エラストマーとしては、例えば、ＳＢＳ（スチレン−ブタジエン−スチレン）、ＳＩＳ（スチレン−イソプレン−スチレン）、ＳＥＢＳ（スチレン−エチレン−ブタジエン−スチレン）、ＳＥＰＳ（スチレン−エチレン−プロピレン−スチレン）等のスチレン系エラストマー、オレフィン系エラストマー（エチレン系のα−オレフィンエラストマー、エチレン・ブテン・オクテン等を共重合したプロピレン系エラストマー）、ポリエステル系エラストマー、ポリウレタン系エラストマー等が挙げられ、これらの１種を単独で又は２種以上を組み合わせて用いることができる。また、これらの樹脂からなる芯鞘型又はサイド・バイ・サイド型の複合繊維を用いることもできる。
【００２６】
このように、腹側外層シート３１Ａ及び背側外層シート３１Ｃは伸縮性を有しているのに対し、股下外層シート３１Ｂ及び内層シート３２は伸縮性を有しておらず非伸縮性である。非伸縮性のシート３１Ｂ，３２は、縦方向Ｘ又は横方向Ｙにおいて伸縮性を有しないことが好ましく、両方向Ｘ，Ｙの何れにも伸縮性を有しないことが好ましい。外装体３において、一部（腹側部１Ａ及び背側部１Ｃ）のみが伸縮性を有する外層シート３１と全体が非伸縮性の内層シート３２とは、外層シート３１の伸縮性を有する部分（腹側外層シート３１Ａ及び背側外層シート３１Ｃ）の伸長状態下に、相対向する面で接合されており、そのため、外装体３全体としては、腹側外層シート３１Ａ及び背側外層シート３１Ｃが配されている腹側部Ａ及び背側部Ｃ（腰部対応部）は、少なくとも両シート３１Ａ，３１Ｃの伸長可能方向（横方向Ｙ）に伸縮性を有し、他の部分（股下部Ｂ）は伸縮性を有してない。
【００２７】
シートが、ある方向に実質的に伸縮性を有しないとは、該シートに対して当該ある方向に引っ張る力を加えても、該シートが、殆ど伸びないことを意味する。例えば、長さ１５×幅５ｃｍのサンプルに対して、該サンプルをテンシロン等の材料引っ張り試験機で長手方向に引っ張って、該サンプルが破断するときの破断伸度が１０％以下である場合、そのサンプルは、長手方向に実質的に伸縮性を有しない。尚、破断伸度とは（破断時の該サンプル長さ−該サンプルの元の長さ）／（該サンプルの元の長さ）×１００で算出することができる。
【００２８】
非伸縮性の股下外層シート３１Ｂ及び内層シート３２としては、それぞれ、各種製法による不織布が好ましく用いられ、例えば、スパンボンド不織布、エアスルー不織布、ニードルパンチ不織布等である。非伸縮性のシート３１Ｂ，３２として用いる不織布の構成繊維としては、例えば、ポリエチレン（ＰＥ）、ポリプロピレン（ＰＰ）、ポリエチレンテレフタレート（ＰＥＴ）やポリブチレンテレフタレート（ＰＢＴ）等のポリエステル、ポリアミド等からなる繊維等が挙げられる。非伸縮性のシート３１Ｂ，３２として用いる不織布を構成する繊維は、短繊維でも長繊維でも良く、親水性でも撥水性でも良い。また、芯鞘型又はサイド・バイ・サイド型の複合繊維、分割繊維、異形断面繊維、捲縮繊維、熱収縮繊維等を用いることもできる。これらの繊維は、１種を単独で又は２種以上を組み合わせて用いることができる。
【００２９】
図１〜図３に示すように、外装体３は、ウエスト開口部ＷＨの開口縁部にウエストギャザーを形成するウエスト弾性部材３３を備えている。即ち、腹側部Ａ及び背側部Ｃそれぞれにおけるウエスト開口部ＷＨの開口縁部には、１本又は複数本（本実施形態では複数本）のウエストギャザー形成用のウエスト弾性部材３３が横方向Ｙの全長に亘って伸長状態で配されており、これによってウエスト開口部ＷＨには、その全周に亘って実質的に連続した環状のウエストギャザーが形成されている。ウエスト弾性部材３３は、糸状又は帯状であり、図３に示すように、外装体３を構成する外層シート３１と内層シート３２との間に接着剤により挟持固定されている。
【００３０】
また外装体３は、一対のレッグ開口部ＬＨ，ＬＨそれぞれの開口縁部にレッグギャザーを形成するレッグ弾性部材として、前身頃Ｆに伸長状態で配された１本又は複数本（本実施形態では複数本）の前側レッグ弾性部材３４と、後身頃Ｒに伸長状態で配された１本又は複数本（本実施形態では複数本）の後側レッグ弾性部材３５とを備えている。レッグ弾性部材３４，３５は、何れも糸状又は帯状であり、図３に示すように、外装体３を構成する外層シート３１と内層シート３２との間に接着剤により挟持固定されている。
【００３１】
前側レッグ弾性部材３４は、図２に示すように、前身頃Ｆ（腹側部１Ａ）における外装体３の両側縁部ＦＳ，ＦＳ（サイドシール部Ｓ）それぞれからレッグ開口部ＬＨの開口縁部であるレッグ縁部ＬＳに沿って縦方向Ｘの内方且つ横方向Ｙの内方に延びて吸収性本体２の縦方向Ｘに沿う側縁２Ｓに達し、さらに該側縁２Ｓよりも横方向Ｙの内方に延びており、該弾性部材３４の側縁部ＦＳ側とは反対側の端部は、吸収性本体２の配置領域に位置している。前身頃Ｆにおける外装体３の両側縁部ＦＳ，ＦＳのうちの一方を起点とする前側レッグ弾性部材３４と、他方を起点とする前側レッグ弾性部材３４とは繋がっておらず、吸収性本体２の配置領域に存する両弾性部材３４，３４間においては、弾性部材による弾性伸縮性は発現しない。一側縁部ＦＳを起点とする前側レッグ弾性部材３４と他側縁部ＦＳを起点とする前側レッグ弾性部材３４とは、おむつ１を横方向Ｙに二分する横中心線（図示せず）を基準として左右対称に配されている。
【００３２】
後側レッグ弾性部材３５は、図２に示すように、後身頃Ｒ（背側部１Ｃ）における外装体３の両側縁部ＲＳ，ＲＳ（サイドシール部Ｓ）それぞれからレッグ開口部ＬＨの開口縁部であるレッグ縁部ＬＳに沿って縦方向Ｘの内方且つ横方向Ｙの内方に延びて吸収性本体２の縦方向Ｘに沿う側縁２Ｓに達し、さらに該側縁２Ｓよりも横方向Ｙの内方に延びており、該弾性部材３５の側縁部ＲＳ側とは反対側の端部は、吸収性本体２の配置領域に位置している。後身頃Ｒにおける外装体３の両側縁部ＲＳ，ＲＳのうちの一方を起点とする後側レッグ弾性部材３５と、他方を起点とする後側レッグ弾性部材３５とは繋がっておらず、吸収性本体２の配置領域に存する両弾性部材３５，３５間においては、弾性部材による弾性伸縮性は発現しない。一側縁部ＲＳを起点とする後側レッグ弾性部材３５と他側縁部ＲＳを起点とする後側レッグ弾性部材３５とは、おむつ１を横方向Ｙに二分する横中心線（図示せず）を基準として左右対称に配されている。
【００３３】
また図２に示すように、前側レッグ弾性部材３４と後側レッグ弾性部材３５とは縦方向Ｘにおいて互いに離間配置されており、それによって離間領域１Ｄが形成されている。離間領域１Ｄは股下部１Ｂに位置し、おむつ１において横方向Ｙの長さ（幅）が最も狭い領域であり、前記排泄部対向部を有している。
【００３４】
図２及び図４に示すように、離間領域１Ｄにおける吸収性本体２の縦方向Ｘに沿う左右両側部には、着用時に着用者の肌側に向かって起立する一対の立体ギャザー５，５が設けられている。各立体ギャザー５は、吸収性本体２側を基端とし着用者の肌側に自由端５０をなすように起立し、該自由端５０に１本又は複数本（本実施形態では複数本）の立体ギャザー形成用弾性部材５２が縦方向Ｘに伸長状態で配されている。本実施形態においては、一対の立体ギャザー５，５は、吸収性本体２の縦方向Ｘの全長に亘って直線状に延びており、おむつ１の着用時には、離間領域１Ｄのみならず、少なくとも股下部１Ｂにおいて、着用者の肌側に向かって起立する。
【００３５】
立体ギャザー５は、液抵抗性ないし撥水性の立体ギャザー形成用シート材５１と、シート材５１に固定された立体ギャザー形成用弾性部材５２とを含んで構成されている。シート材５１は、１枚の帯状シートから形成されており、シート材５１の横方向Ｙの一端部は、裏面シート２２の非肌対向面に接着剤によって固定されて固定端を形成し、シート材５１の横方向Ｙの他端部は、表面シート２１の上方において、縦方向Ｘに延びる折曲線（図示せず）にて横方向Ｙの内方側に折り返されて自由端５０を形成し、その折り返しによって相対向したシート間に、糸状又は帯状の弾性部材５２が縦方向Ｘに伸長した状態で接着剤を介して固定されて、立体ギャザー５が形成されている。立体ギャザー５は、伸長状態で配された弾性部材５２がおむつ１の着用状態において収縮することによって起立し、液の側方への流出を阻止する。また、図４に示すように、立体ギャザー５における吸収性本体２の側縁２Ｓと対向する部分には、立体ギャザー５をより確実に起立させる等の目的で、糸状又は帯状の弾性部材５３が、立体ギャザー５の縦方向Ｘの全長に亘って縦方向Ｘに伸長した状態で接着剤によって固定されている。
【００３６】
立体ギャザー形成用シート材５１としては、伸縮性のフィルム、不織布、織物又はそれらの積層シート等を用いることができる。立体ギャザー形成用弾性部材５２及び弾性部材５３としては、ウエスト弾性部材３３及びレッグ弾性部材３４，３５と同様のものを用いることができ、例えば、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる糸状又は帯状の伸縮性材料を用いることができる。
【００３７】
本実施形態のおむつ１の主たる特徴の１つとして、前側レッグ弾性部材３４及び後側レッグ弾性部材３５の配置領域における、縦方向Ｘにおいてサイドシール部Ｓと同位置にある腰部対応部３４０，３５０の最大伸度をＥ１、該腰部対応部３４０，３５０よりも縦方向Ｘの内方（おむつ１の着用時においては下方）に位置する腰部下部対応部３４１，３５１の最大伸度をＥ２とし、さらに離間領域１Ｄにおける立体ギャザー５の最大伸度をＥ３とした場合、Ｅ１＜Ｅ３＜Ｅ２なる関係が成立している点が挙げられる。尚、図２及び図３に、腰部対応部３４０，３５０及び腰部下部対応部３４１，３５１を図示しているが、これらは主として位置関係を明確にするために示されており、各部の実際の大きさとは無関係である。
【００３８】
ここで、最大伸度とは、測定対象部分をそれ以上伸ばせない長さ（材破する直前の長さ）まで伸長したときの伸長率であり、下記式（１）によって求められる。
最大伸度（％）＝｛（伸長後の長さ−伸長前の長さ）／伸長前の長さ）｝×１００％…（１）
最大伸度の測定は次の手順で行う。吸収性物品における測定対象部分（弾性部材の配置領域）の自然状態（弾性部材の収縮状態）において、１本の弾性部材の長さ方向の中央部に５０ｍｍの間隔の目印を付け、これを伸長前の長さとする。次いで、この測定対象部分を、弾性部材の長さ方向に伸長させて、目印の間隔を測定し、伸長後の長さとする。測定値を前記式（１）に代入して最大伸度を算出する。測定対象部分を吸収性物品から切り出したものを測定サンプルとして測定に供しても良い。前記立体ギャザーの最大伸度Ｅ３は、図４に示すように、立体ギャザー５の自由端５０に配された弾性部材５２（吸収性本体２よりも着用者の肌に近い弾性部材）による最大伸度を意味する。従って、例えば図４に示す立体ギャザー５の最大伸度Ｅ３を測定する際には、吸収性本体２の側方に配された弾性部材５３の影響を排除するように測定し、例えば、弾性部材５３を取り除いてから測定する。
【００３９】
腰部対応部３４０，３５０の最大伸度Ｅ１、腰部下部対応部３４１，３５１の最大伸度Ｅ２及び離間領域１Ｄにおける立体ギャザー５の最大伸度Ｅ３について、Ｅ１＜Ｅ３＜Ｅ２という大小関係が成立していることにより、おむつ１はフィット性及び着用感に優れたものとなる。特に、腰部対応部３４０，３５０はサイドシール部Ｓ及びその近傍であり、他の部分に比して硬く感触が良くない部分であるところ、その最大伸度Ｅ１が他の２つの部分に比して小さいことにより、腰部対応部３４０，３５０の収縮力が適度に抑えられるため、サイドシール部Ｓがおむつ１の着用者の大腿部の外側面に強く当たることが抑制され、着用者に違和感を与え難く、着用感が向上する。
【００４０】
また、腰部下部対応部３４１，３５１の最大伸度Ｅ２が他の２つの部分に比して大きいことにより、吸収性本体２の可動性が向上し、吸収性本体２がおむつ１の着用者の身体の動きに追従しやすくなると共に、吸収性本体２（吸収体２３）が過度に収縮することがなく、着用感が向上し、吸収性の低下が効果的に防止される。また例えば、おむつ１の着用者が歩いたり座ったりした場合には、着用者の臀部の皮膚の伸び縮みの程度が激しくなるところ、腰部下部対応部３４１，３５１の最大伸度Ｅ２が腰部対応部３４０，３５０の最大伸度Ｅ１よりも大きいことにより、腰部下部対応部３４１，３５１には腰部対応部３４０，３５０よりも強い収縮力が働くため、この臀部の皮膚の伸び縮みに対しておむつ１が十分にフィットすることができ、優れた着用感が得られる。
【００４１】
また、離間領域１Ｄにおける立体ギャザー５の最大伸度Ｅ３が腰部下部対応部３４１，３５１の最大伸度Ｅ２に比して小さいことにより、おむつ１が縦方向Ｘに過度に収縮することが防止されるため、横方向Ｙに沿う皺の発生が防止され、それによって着用感が向上すると共に、吸収容量の低下が効果的に防止される。
【００４２】
また、本実施形態のおむつ１においては、前述したように、前側レッグ弾性部材３４と後側レッグ弾性部材３５とが縦方向Ｘにおいて互いに離間配置されて離間領域１Ｄを形成しており、その離間領域１Ｄが吸収性本体２の配置領域と重複しているため、あたかも、吸収性本体２が縦方向Ｘの前後２か所で支持されているように構成されており、それによって吸収性本体２の可動性が向上している。従って、前述したＥ１＜Ｅ３＜Ｅ２なる関係による作用効果と相俟って、本実施形態のおむつ１は、優れた着用感及び吸収性能を発揮し得る。
【００４３】
前述した作用効果をより確実に奏させるようにする観点から、最大伸度Ｅ１と最大伸度Ｅ３との比（Ｅ１／Ｅ３）は、好ましくは０．５以上、さらに好ましくは０．６以上、そして、好ましくは１．０未満、さらに好ましくは０．９以下、より具体的には、好ましくは０．５以上１．０未満、さらに好ましくは０．６以上０．９以下である。
同様の観点から、最大伸度Ｅ３と最大伸度Ｅ２との比（Ｅ３／Ｅ２）は、好ましくは０．６以上、さらに好ましくは０．６５以上、そして、好ましくは１．０未満、さらに好ましくは０．９５以下、より具体的には、好ましくは０．６以上１．０未満、さらに好ましくは０．６５以上０．９５以下である。
【００４４】
腰部対応部３４０，３５０の最大伸度Ｅ１は、好ましくは１５０％以上、さらに好ましくは１８０％以上、そして、好ましくは２５０％以下、さらに好ましくは２２０％以下、より具体的には、好ましくは１５０％以上２５０％以下、さらに好ましくは１８０％以上２２０％以下である。
腰部下部対応部３４１，３５１の最大伸度Ｅ２は、好ましくは２００％以上、さらに好ましくは２２０％以上、そして、好ましくは３００％以下、さらに好ましくは２７０％以下、より具体的には、好ましくは２００％以上３００％以下、さらに好ましくは２２０％以上２７０％以下である。
離間領域１Ｄにおける立体ギャザー５の最大伸度Ｅ３は、好ましくは１８０％以上、さらに好ましくは２００％以上、そして、好ましくは２８０％以下、さらに好ましくは２５０％以下、より具体的には、好ましくは１８０％以上２８０％以下、さらに好ましくは２００％以上２５０％以下である。
【００４５】
尚、前側レッグ弾性部材３４の腰部対応部３４０と後側レッグ弾性部材３５の腰部対応部３５０とは、互いに同じでも良く、異なっていても良いが、通常、両者は同じである。前側レッグ弾性部材３４の腰部下部対応部３４１と後側レッグ弾性部材３５の腰部下部対応部３５１との関係についても、これと同様である。
【００４６】
また、おむつ１のフィット性をより一層高める観点から、前身頃Ｆの腰部下部対応部３４１の縦方向Ｘの長さと後身頃Ｒの腰部下部対応部３５１の縦方向Ｘの長さとの合計Ｌ１は、離間領域１Ｄの縦方向Ｘの長さＬ２に比して長いことが好ましい。Ｌ１とＬ２との比（Ｌ１／Ｌ２）は、好ましくは１．０より大きく、さらに好ましくは１．０５以上、そして、好ましくは１．３以下、さらに好ましくは１．２５以下、より具体的には、好ましくは１．０超１．３以下、さらに好ましくは１．０５以上１．２５以下である。
離間領域１Ｄの縦方向Ｘの長さＬ２は、好ましくは１００ｍｍ以上、さらに好ましくは１５０ｍｍ以上、そして、好ましくは２５０ｍｍ以下、さらに好ましくは２００ｍｍ以下、より具体的には、好ましくは１００ｍｍ以上２５０ｍｍ以下、さらに好ましくは１５０ｍｍ以上２００ｍｍ以下である。
【００４７】
前述したおむつ１における特定の３箇所（腰部対応部３４０，３５０、腰部下部対応部３４１，３５１、離間領域１Ｄにおける立体ギャザー５）の弾性部材の配置領域の最大伸度Ｅ１，Ｅ２，Ｅ３について、Ｅ１＜Ｅ３＜Ｅ２という大小関係を成立させるためには、弾性部材の配置形態、当該領域を構成するシートの坪量（枚数）等を適宜コントロールする必要がある。吸収性物品における所定領域の最大伸度を低下させる、即ち、所定領域の伸縮性を低下させる（伸びにくくする）方法としては、例えば、当該領域における弾性部材とシート材（外層シート３１、内層シート３２）との固定箇所、接着剤の塗布量（坪量）、シート材の坪量（枚数）等を多くする方法が挙げられる。吸収性物品における所定領域の最大伸度を向上させる場合は、弾性部材とシート材との固定箇所等を前記方法とは逆に少なくすれば良い。
【００４８】
特に、レッグ弾性部材３４，３５は、腰部対応部３４０，３５０から腰部下部対応部３４１，３５１に亘って連続しており、該弾性部材３４，３５自体の伸縮性は配置箇所によらずに基本的に均一であるので、該弾性部材３４，３５の伸縮性を配置箇所によって異ならせるためには、前記方法のように、これを固定するための接着剤や周辺のシート材を適宜調整する必要がある。
【００４９】
一方、立体ギャザー５は、腰部対応部３４０，３５０及び腰部下部対応部３４１，３５１とは別部材であるので、立体ギャザー５を構成する弾性部材５２として、レッグ弾性部材３４，３５とは伸縮特性が異なるものを用いることで、離間領域１Ｄにおける立体ギャザー５の最大伸度Ｅ３を他の２つの部分の最大伸度Ｅ１，Ｅ２と異ならせることが可能となる。具体的には、レッグ弾性部材３４，３５として、立体ギャザー形成用弾性部材５２に比して断面積が大きいものを用いる方法が挙げられる。相対的に断面積が大きい（太さが太い）糸状又は帯状の弾性部材３４，３５は、相対的に断面積が小さい（太さが細い）糸状又は帯状の弾性部材５２に比して、伸縮性が低くて伸びにくいため、仮に、弾性部材３４，３５，５２の配置形態（接着剤の塗布量、シート材の坪量等）が同じ場合には、弾性部材３４，３５が配された腰部対応部３４０，３５０及び腰部下部対応部３４１，３５１の最大伸度Ｅ１，Ｅ２は、弾性部材５２が配された離間領域１Ｄにおける立体ギャザー５の最大伸度Ｅ３よりも小さくなる（Ｅ１，Ｅ２＜Ｅ３）。この最大伸度の関係をベースとして、さらに各弾性部材の配置形態等を適宜調整することで、前記のＥ１＜Ｅ３＜Ｅ２という大小関係が得られる。
【００５０】
本実施形態のおむつ１においては、図３に示すように、腰部対応部３４０，３５０においては、レッグ弾性部材３４，３５は、外層シート３１（腹側外層シート３１Ａ又は背側外層シート３１Ｃ）及び内層シート３２の両方に接着剤によって固定されている。図３中符号６は接着剤を示し、腰部対応部３４０において、前側レッグ弾性部材３４は接着剤６によって腹側外層シート３１Ａの肌対向面に固定され、また腰部対応部３５０において、後側レッグ弾性部材３５は接着剤６によって背側外層シート３１Ｃの肌対向面に固定されている。また、図示していないが、内層シート３２の非肌対向面にも接着剤が塗布されており、その接着剤によってレッグ弾性部材３４，３５は腰部対応部３４０，３５０において該非肌対向面にも固定されている。
【００５１】
これに対し、腰部下部対応部３４１，３５１においては、レッグ弾性部材３４，３５は、内層シート３２及び外層シート３１（股下外層シート３１Ｂ）の何れか一方にのみ接着剤によって固定されている。本実施形態においては、レッグ弾性部材３４，３５は、内層シート３２の非肌対向面に接着剤によって固定されているが、外層シート３１（股下外層シート３１Ｂ）には固定されていない。つまり、腰部下部対応部３４１，３５１においては、レッグ弾性部材３４，３５とシート３１Ｂの肌対向面との間が接合されておらず、おむつ１の着用中などに両者が互いに密着せずに離れる場合があり得る。
【００５２】
このように、腰部対応部３４０，３５０と腰部下部対応部３４１，３５１とで、レッグ弾性部材３４，３５のシート材との固定箇所（固定面積）を異ならせ、腰部対応部３４０，３５０の該固定箇所を相対的に多くすることによって、腰部対応部３４０，３５０の最大伸度Ｅ１を腰部下部対応部３４１，３５１の最大伸度Ｅ２よりも小さくする（Ｅ１＜Ｅ２とする）ことが可能となる。
【００５３】
弾性部材３４，３５をシート材に固定する接着剤（接着剤６）としては、例えばホットメルト型接着剤を用いることができる。また、最大伸度が他の２つの部分に比して小さい、即ち、比較的伸縮性が低く伸びにくい腰部対応部３４０，３５０においては、接着剤（好ましくはホットメルト型接着剤）は、外層シート３１（腹側外層シート３１Ａ又は背側外層シート３１Ｃ）及び内層シート３２の少なくとも一方におけるレッグ弾性部材３４，３５との対向面の全域に塗布されている、即ち、いわゆるベタ塗りされていることが好ましい。そうすることによって、前述した最大伸度の大小関係Ｅ１＜Ｅ３＜Ｅ２がより一層確実に成立しやすくなる。このように接着剤をベタ塗りする場合、外層シート３１又は内層シート３２における接着剤の塗布量は、固形分換算で、好ましくは２．０ｇ／ｍ2以上、さらに好ましくは３．０ｇ／ｍ2以上、そして、好ましくは８．０ｇ／ｍ2以下、さらに好ましくは７．０ｇ／ｍ2以下、より具体的には、好ましくは２．０ｇ／ｍ2以上８．０ｇ／ｍ2以下、さらに好ましくは３．０ｇ／ｍ2以上７．０ｇ／ｍ2以下である。
【００５４】
また、本実施形態においては、腰部対応部３４０，３５０と腰部下部対応部３４１，３５１とで外層シート３１が異なっており、腰部対応部３４０，３５０は伸縮性を有する外層シート３１Ａ，３１Ｃを含んで構成され、腰部下部対応部３４１，３５１は非伸縮性の外層シート３１Ｂを含んで構成されているところ、例えば、外層シート３１Ａ，３１Ｃとして、図５に示す如き積層多層構造の不織布（複合シート）を用い、外層シート３１Ｂとして、単層構造の不織布（単層シート）を用いた場合には、外層シート３１Ａ，３１Ｃ（複合シート）に配されている弾性部材の伸縮性は、外層シート３１Ｂ（単層シート）におけるそれに比して低下するため、前述した最大伸度の大小関係Ｅ１＜Ｅ３＜Ｅ２、特にＥ１＜Ｅ２がより一層確実に成立しやすくなる。即ち、腰部対応部３４０，３５０を構成する外層シート３１（腹側外層シート３１Ａ、背側外層シート３１Ｃ）は、２枚の繊維シートと、両シート間に介在配置された弾性部材（弾性フィラメント）とを含んで構成されていることが好ましい。また、外層シート３１Ａ，３１Ｃと外層シート３１Ｂとの重ね合わせ部分を腰部対応部３４０，３５０に配置することで、Ｅ１＜Ｅ２がより一層確実に成立しやすくなる。
【００５５】
以上、本発明をその好ましい実施形態に基づき説明したが、本発明は前記実施形態に制限されない。例えば、前記実施形態においては、外層シート３１は複数枚のシートが組み合わされて構成されていたが、内層シート３２と同様に１枚の連続したシートから構成されていても良い。
また、外装体３は、腹側部に位置する外装体腹側領域及び背側部に位置する外装体背側領域とに分割されており、吸収性本体２は、前記外装体腹側領域及び前記外装体背側領域に架け渡して固定されていても良い。
前述した本発明の実施形態に関し、更に以下の付記を開示する。
【００５６】
＜１＞
着用者の前後方向に相当する縦方向とこれに直交する横方向とを有し、吸収性本体と、該吸収性本体の非肌対向面側に配されて該吸収性本体を固定している外装体とを備え、前身頃及び後身頃それぞれにおける該外装体の縦方向に沿う両側縁部どうしが接合されて一対のサイドシール部、ウエスト開口部及び一対のレッグ開口部が形成されているパンツ型吸収性物品であって、
前記外装体は、一対の前記レッグ開口部それぞれの開口縁部にレッグギャザーを形成するレッグ弾性部材として、前身頃に伸長状態で配された前側レッグ弾性部材と、後身頃に伸長状態で配された後側レッグ弾性部材とを備え、
前記前側レッグ弾性部材は、前身頃における前記サイドシール部を構成する前記外装体の両側縁部それぞれから前記レッグ開口部の開口縁部に沿って縦方向内方且つ横方向内方に延びて前記吸収性本体の縦方向に沿う側縁に達しており、
前記後側レッグ弾性部材は、後身頃における前記サイドシール部を構成する前記外装体の両側縁部それぞれから前記レッグ開口部の開口縁部に沿って縦方向内方且つ横方向内方に延びて前記吸収性本体の縦方向に沿う側縁に達しており、
前記前側レッグ弾性部材と前記後側レッグ弾性部材とが縦方向において互いに離間配置されて、離間領域が形成されており、
前記離間領域における前記吸収性本体の縦方向に沿う左右両側部に、着用時に着用者の肌側に向かって起立する一対の立体ギャザーが設けられており、該立体ギャザーは、該吸収性本体側を基端とし着用者の肌側に自由端をなすように起立し、該自由端に立体ギャザー形成用弾性部材が縦方向に伸長状態で配されており、
前記前側レッグ弾性部材及び前記後側レッグ弾性部材の配置領域における、縦方向において前記サイドシール部と同位置にある腰部対応部の最大伸度をＥ１、該腰部対応部よりも縦方向内方に位置する腰部下部対応部の最大伸度をＥ２とし、さらに前記離間領域における前記立体ギャザーの最大伸度をＥ３とした場合、Ｅ１＜Ｅ３＜Ｅ２なる関係が成立しているパンツ型吸収性物品。
【００５７】
＜２＞
前記外装体は、着用者の身体から遠い側に位置する外層シートと、着用者の身体に近い側に位置する内層シートとを含んで構成されており、両シート間に前記レッグ弾性部材が介在配置されており、
前記腰部対応部において、前記レッグ弾性部材は、前記外層シート及び前記内層シートの両方に接着剤によって固定されている前記＜１＞に記載のパンツ型吸収性物品。
＜３＞
前記接着剤はホットメルト型接着剤であり、前記外層シート及び前記内層シートの少なくとも一方の、前記腰部対応部における前記レッグ弾性部材との対向面の全域に塗布されている前記＜２＞に記載のパンツ型吸収性物品。
【００５８】
＜４＞
前記腰部下部対応部において、前記レッグ弾性部材は、前記内層シート及び前記外層シートの何れか一方にのみ接着剤によって固定されている前記＜２＞又は＜３＞に記載のパンツ型吸収性物品。
＜５＞
前記腰部下部対応部において、前記レッグ弾性部材は、前記内層シートに接着剤によって固定されているが、前記外層シートには固定されていない前記＜２＞又は＜３＞に記載のパンツ型吸収性物品。
＜６＞
前記腰部対応部を構成する前記外層シートは、２枚の繊維シートと、両シート間に介在配置された弾性部材とを含んで構成されている前記＜２＞〜＜５＞の何れか一項に記載のパンツ型吸収性物品。
【００５９】
＜７＞
前記外層シートは、着用状態において着用者の腹側に配される腹側部を構成する腹側外層シートと、背側に配される背側部を構成する背側外層シートと、これら両シート間に位置して着用者股間部に配される股下部を構成する股下外層シートとを含んで構成されている前記＜２＞〜＜６＞の何れか一項に記載のパンツ型吸収性物品。
＜８＞
前記腹側外層シート及び前記背側外層シートは、少なくとも横方向に伸縮性を有している前記＜７＞に記載のパンツ型吸収性物品。
＜９＞
前記股下外層シート及び前記内層シートは、伸縮性を有しておらず非伸縮性である前記＜７＞又は＜８＞に記載のパンツ型吸収性物品。
＜１０＞
前記股下外層シートは単層構造の不織布である前記＜７＞〜＜９＞の何れか一項に記載のパンツ型吸収性物品。
＜１１＞
前記腹側外層シート及び前記背側外層シートと前記股下外層シートとの重ね合わせ部分が前記腰部対応部に配置されている前記＜７＞〜＜１０＞の何れか一項に記載のパンツ型吸収性物品。
【００６０】
＜１２＞
前記腰部対応部と前記腰部下部対応部とで、前記レッグ弾性部材の前記外装体を構成するシート材との固定箇所（固定面積）が異なり、該腰部対応部の該固定箇所（固定面積）が該腰部下部対応部のそれよりも多くなっており、それによってＥ１＜Ｅ２なる関係が成立するようになされている前記＜１＞〜＜１１＞の何れか一項に記載のパンツ型吸収性物品。
＜１３＞
前記レッグ弾性部材は、前記立体ギャザー形成用弾性部材に比して断面積が大きい前記＜１＞〜＜１２＞の何れか一項に記載のパンツ型吸収性物品。
＜１４＞
前身頃の前記腰部下部対応部の縦方向の長さと後身頃の前記腰部下部対応部の縦方向の長さとの合計が、前記離間領域の縦方向の長さに比して長い前記＜１＞〜＜１３＞の何れか一項に記載のパンツ型吸収性物品。
＜１５＞
前身頃の前記腰部下部対応部の縦方向の長さと後身頃の前記腰部下部対応部の縦方向の長さとの合計Ｌ１と、前記離間領域の縦方向の長さＬ２との比である、Ｌ１／Ｌ２は、好ましくは１．０より大きく、さらに好ましくは１．０５以上、そして、好ましくは１．３以下、さらに好ましくは１．２５以下、より具体的には、好ましくは１．０超１．３以下、さらに好ましくは１．０５以上１．２５以下である前記＜１４＞に記載のパンツ型吸収性物品。
【００６１】
＜１６＞
前記吸収性本体は、肌対向面を形成する表面シート、非肌対向面を形成する裏面シート、及び両シート間に介在配置された液保持性の吸収体を有している前記＜１＞〜＜１５＞の何れか一項に記載のパンツ型吸収性物品。
＜１７＞
前身頃における前記外装体の両側縁部のうちの一方を起点とする前記前側レッグ弾性部材と、他方を起点とする前記前側レッグ弾性部材とは繋がっていない前記＜１＞〜＜１６＞の何れか一項に記載のパンツ型吸収性物品。
＜１８＞
後身頃における前記外装体の両側縁部のうちの一方を起点とする前記後側レッグ弾性部材と、他方を起点とする前記後側レッグ弾性部材とは繋がっていない前記＜１＞〜＜１７＞の何れか一項に記載のパンツ型吸収性物品。
＜１９＞
前記立体ギャザーは、立体ギャザー形成用シート材と、該シート材に固定された立体ギャザー形成用弾性部材とを含んで構成されている前記＜１＞〜＜１８＞の何れか一項に記載のパンツ型吸収性物品。
＜２０＞
前記シート材は、１枚の帯状シートから形成されており、該シート材の横方向の一端部は、前記吸収性本体の肌対向面を形成する裏面シートの非肌対向面に接着剤によって固定されて固定端を形成し、該シート材の横方向の他端部は、該吸収性本体の肌対向面を形成する表面シートの上方において、縦方向に延びる折曲線にて横方向の内方側に折り返されて自由端を形成し、その折り返しによって相対向したシート間に、糸状又は帯状の前記立体ギャザー形成用弾性部材が縦方向に伸長した状態で接着剤を介して固定されている前記＜１９＞に記載のパンツ型吸収性物品。
【００６２】
＜２１＞
前記最大伸度Ｅ１と前記最大伸度Ｅ３との比であるＥ１／Ｅ３は、好ましくは０．５以上、さらに好ましくは０．６以上、そして、好ましくは１．０未満、さらに好ましくは０．９以下、より具体的には、好ましくは０．５以上１．０未満、さらに好ましくは０．６以上０．９以下である前記＜１＞〜＜２０＞の何れか一項に記載のパンツ型吸収性物品。
＜２２＞
前記最大伸度Ｅ３と前記最大伸度Ｅ２との比であるＥ３／Ｅ２は、好ましくは０．６以上、さらに好ましくは０．６５以上、そして、好ましくは１．０未満、さらに好ましくは０．９５以下、より具体的には、好ましくは０．６以上１．０未満、さらに好ましくは０．６５以上０．９５以下である前記＜１＞〜＜２１＞の何れか一項に記載のパンツ型吸収性物品。
＜２３＞
前記最大伸度Ｅ１は、好ましくは１５０％以上、さらに好ましくは１８０％以上、そして、好ましくは２５０％以下、さらに好ましくは２２０％以下、より具体的には、好ましくは１５０％以上２５０％以下、さらに好ましくは１８０％以上２２０％以下である前記＜１＞〜＜２２＞の何れか一項に記載のパンツ型吸収性物品。
＜２４＞
前記最大伸度Ｅ２は、好ましくは２００％以上、さらに好ましくは２２０％以上、そして、好ましくは３００％以下、さらに好ましくは２７０％以下、より具体的には、好ましくは２００％以上３００％以下、さらに好ましくは２２０％以上２７０％以下である前記＜１＞〜＜２３＞の何れか一項に記載のパンツ型吸収性物品。
＜２５＞
前記最大伸度Ｅ３は、好ましくは１８０％以上、さらに好ましくは２００％以上、そして、好ましくは２８０％以下、さらに好ましくは２５０％以下、より具体的には、好ましくは１８０％以上２８０％以下、さらに好ましくは２００％以上２５０％以下である前記＜１＞〜＜２４＞の何れか一項に記載のパンツ型吸収性物品。
＜２６＞
前記離間領域の縦方向の長さは、好ましくは１００ｍｍ以上、さらに好ましくは１５０ｍｍ以上、そして、好ましくは２５０ｍｍ以下、さらに好ましくは２００ｍｍ以下、より具体的には、好ましくは１００ｍｍ以上２５０ｍｍ以下、さらに好ましくは１５０ｍｍ以上２００ｍｍ以下である前記＜１＞〜＜２５＞の何れか一項に記載のパンツ型吸収性物品。
【符号の説明】
【００６３】
１  パンツ型使い捨ておむつ（パンツ型吸収性物品）
２  吸収性本体
２１  表面シート
２２  裏面シート
２３  吸収体
３  外装体
３１  外層シート
３１Ａ  腹側外層シート
３１Ｂ  股下外層シート
３１Ｃ  背側外層シート
３２  内層シート
３３  ウエスト弾性部材
３４  前側レッグ弾性部材
３４０  前側レッグ弾性部材の配置領域における腰部対応部
３４１  前側レッグ弾性部材の配置領域における腰部下部対応部
３５  後側レッグ弾性部材
３５０  後側レッグ弾性部材の配置領域における腰部対応部
３５１  後側レッグ弾性部材の配置領域における腰部下部対応部
５  立体ギャザー
５１  立体ギャザー形成用シート材
５２  立体ギャザー形成用弾性部材
６  接着剤
Ｆ  前身頃
Ｒ  後身頃
１Ａ  腹側部
１Ｂ  股下部
１Ｃ  背側部
１Ｄ  離間領域
Ｘ  縦方向
Ｙ  横方向
【図１】
0006403544.tif 000002
【図２】
0006403544.tif 000003
【図３】
0006403544.tif 000004
【図４】
0006403544.tif 000005
【図５】
0006403544.tif 000006